(57)【特許請求の範囲】
【請求項１】
トロイダル型無段変速機と遊星歯車式変速機とをクラッチ装置を介して組み合わせて成り、このクラッチ装置は、減速比を大きくする低速モードを実現する際に接続されて同じく小さくする高速モードを実現する際に接続を断たれる低速用クラッチと、この高速モードを実現する際に接続されて上記低速モードを実現する際に接続を断たれる高速用クラッチと、これら各クラッチの断接状態を切り換える制御器とから成り、この制御器は、これら各クラッチの断接を制御する事により、変速状態を上記低速モードと上記高速モードとのうちの何れかのモードにするものであり、上記制御器に、上記低速モードと上記高速モードとのモード切換時に、上記低速用クラッチと上記高速用クラッチとのうちの一方のクラッチでそれまで接続されていなかったクラッチを接続してから、同じく他方のクラッチでそれまで接続されていたクラッチの接続を断つ機能を持たせる事により、これら両クラッチが同時に接続されている時間を設定した無段変速装置に於いて、上記制御器に、上記モード切換が開始された事を条件に、エンジンの回転速度を、このエンジンの燃料噴射量を調節する事に基づいて、運転者のアクセル操作と独立して調節する機能を持たせると共に、上記モード切換が終了した事を条件に、上記エンジンの回転速度を、このエンジンの燃料噴射量を調節する事に基づいて、運転者のアクセル操作に応じたものに戻す機能を持たせた事を特徴とする無段変速装置。
【請求項２】
一方のクラッチの接続が開始された事を条件に、エンジンの回転速度を、この一方のクラッチの接続が開始された時点の値のまま維持すると共に、この一方のクラッチの接続が完了した事を条件に、上記エンジンの回転速度を、運転者のアクセル操作に応じたものに戻す、請求項１に記載した無段変速装置。
【請求項３】
一方のクラッチの接続が開始された事を条件に、エンジンの回転速度が変化する程度を、この一方のクラッチの接続が開始される直前の変化速度のまま維持すると共に、この一方のクラッチの接続が完了した事を条件に、上記エンジンの回転速度を、運転者のアクセル操作に応じたものに戻す、請求項１に記載した無段変速装置。
【請求項４】
一方のクラッチの接続が完了した事を条件に、その時点のアクセル開度と車速とに基づいてエンジンの目標回転速度を求め、この目標回転速度に調節する事で、このエンジンの回転速度を運転者のアクセル操作に応じたものに戻す、請求項１〜３のうちの何れか１項に記載した無段変速装置。
【請求項５】
低速モードから高速モードへ切り換える際に、高速用クラッチの接続が開始された事を条件に、アクセル開度を、この高速用クラッチの接続が開始された時点の値から所定の値低下させ、そのアクセル開度でエンジンの回転速度を維持すると共に、この高速用クラッチの接続が完了した事を条件に、上記アクセル開度を、その時点の運転者のアクセル操作に応じた実際のアクセル開度に戻す、請求項１に記載した無段変速装置。
【請求項６】
高速モードから低速モードへ切り換える際に、低速用クラッチの接続が開始された事を条件に、アクセル開度を、この低速用クラッチの接続が開始された時点の値から所定の値増大させ、そのアクセル開度でエンジンの回転速度を維持すると共に、この低速用クラッチの接続が完了した事を条件に、上記アクセル開度を、その時点の運転者のアクセル操作に応じた実際のアクセル開度に戻す、請求項１に記載した無段変速装置。
【請求項７】
入力軸を一方向に回転させたまま出力軸を停止させるギヤードニュートラル状態を実現できるモードを備えた、請求項１〜６のうちの何れか１項に記載した無段変速装置。
【発明の詳細な説明】
【技術分野】
【０００１】
この発明は、例えば車両（自動車）用自動変速装置として利用する、トロイダル型無段変速機を組み込んだ無段変速装置の改良に関し、低速モードと高速モードとのモード切換を滑らかに行なえる構造を、低コストで実現するものである。
【背景技術】
【０００２】
自動車用変速装置としてトロイダル型無段変速機を使用する事が、例えば特許文献１、２、非特許文献１、２等の多くの刊行物に記載され、且つ、一部で実施されて周知である。又、変速比の変動幅を大きくすべく、トロイダル型無段変速機と遊星歯車式変速機とを組み合わせた無段変速装置も、例えば特許文献３〜８に記載される等により従来から広く知られている。このうちの特許文献３〜４には、トロイダル型無段変速機のみで動力を伝達するモード（低速モード）と、差動ユニットである遊星歯車式変速機により主動力を伝達し、上記トロイダル型無段変速機により変速比の調節を行なう、所謂パワースプリット状態を実現するモード（高速モード）とを備えた無段変速装置が記載されている。又、上記特許文献５〜８には、入力軸を一方向に回転させたまま、出力軸の回転状態を、停止状態を挟んで正転、逆転に切り換えられる、所謂ギヤードニュートラル状態を実現できるモード（低速モード）を備えた無段変速装置が記載されている。
【０００３】
図１０〜１１は、特許文献７〜８に記載されたギヤードニュートラル状態を実現できるモードを備えた無段変速装置を示している。このうちの図１０は無段変速装置のブロック図を、図１１は、この無段変速装置を制御する油圧回路を、それぞれ示している。エンジン１の出力は、ダンパ２を介して、入力軸３に入力される。この入力軸３に伝達された動力は、直接又はトロイダル型無段変速機４を介して、差動ユニットである遊星歯車式変速機５に伝達される。そして、この遊星歯車式変速機５の構成部材の差動成分が、クラッチ装置６、即ち、図１１の低速用、高速用各クラッチ７、８を介して、出力軸９に取り出される。
【０００４】
又、上記トロイダル型無段変速機４は、入力側、出力側各ディスク１０、１１と、複数個のパワーローラ１２と、複数個のトラニオン（図示省略）と、アクチュエータ１３（図１１）と、押圧装置１４と、変速比制御ユニット１５とを備える。このうちの入力側、出力側各ディスク１０、１１は、互いに同心に、且つ相対回転自在に配置されている。又、上記各パワーローラ１２は、互いに対向する上記入力側、出力側各ディスク１０、１１の内側面同士の間に挟持されて、これら入力側、出力側各ディスク１０、１１同士の間で動力を伝達する。又、上記各トラニオンは、上記各パワーローラ１２を回転自在に支持している。
【０００５】
又、上記アクチュエータ１３は、油圧式のもので、上記各パワーローラ１２を支持した上記各トラニオンを、それぞれの両端部に設けた枢軸の軸方向に変位させて、上記入力側ディスク１０と出力側ディスク１１との間の変速比を変える。又、上記押圧装置１４は、油圧式のもので、上記入力側ディスク１０と上記出力側ディスク１１とを互いに近付く方向に押圧する。又、上記変速比制御ユニット１５は、上記入力側ディスク１０と出力側ディスク１１との間の変速比を所望値にする為に、上記アクチュエータ１３の変位方向及び変位量を制御する。
【０００６】
図示の例の場合、上記変速比制御ユニット１５は、制御器１６と、この制御器１６からの制御信号に基づいて切り換えられる、ステッピングモータ１７と、ライン圧制御用電磁開閉弁１８と、電磁弁１９と、シフト用電磁弁２０と、これら各部材１７〜２０により作動状態を切り換えられる制御弁装置２１とにより構成している。尚、この制御弁装置２１は、変速比制御弁２２と、差圧シリンダ２３と、補正用制御弁２４ａ、２４ｂと、高速クラッチ用、低速クラッチ用各切換弁２５、２６（図１１）とを合わせたものである。このうちの変速比制御弁２２は、上記アクチュエータ１３への油圧の給排を制御するものである。又、上記差圧シリンダ２３は、前記トロイダル型無段変速機４を通過するトルク（通過トルク）に応じて、このトロイダル型無段変速機４の変速比を補正すべく、上記変速比制御弁２２の切換状態を調節する為のものである。又、上記補正用制御弁２４ａ、２４ｂは、上記差圧シリンダ２３への圧油の給排を制御するものである。更に、上記高速クラッチ用、低速クラッチ用各切換弁２５、２６は、前記低速用、高速用各クラッチ７、８への圧油の導入状態を切り換えるものである。
【０００７】
又、前記ダンパ２部分から取り出した動力により駆動されるオイルポンプ２７（図１１の２７ａ、２７ｂ）から吐出した圧油は、上記制御弁装置２１や上記押圧装置１４等に送り込まれる。即ち、油溜２８（図１１）から吸引されて上記オイルポンプ２７ａ、２７ｂにより吐出された圧油を、調圧弁２９ａ、２９ｂで所定圧に調整自在としている。又、これら両調圧弁２９ａ、２９ｂのうち、上記押圧装置１４並びに手動油圧切換弁３０側に送る油圧を調整する為の調圧弁２９ａによる調整圧を、上記ライン圧制御用電磁開閉弁１８の開閉に基づいて調節自在としている。そして、上記両調圧弁２９ａ、２９ｂにより圧力を調整された圧油を、前記変速比制御弁２２を介して前記アクチュエータ１３に送り込み自在とする他、前記差圧シリンダ２３のストロークを調節する為の前記補正用制御弁２４ａ、２４ｂに、前記電磁弁１９の開閉に基づいて送り込み自在としている。
【０００８】
又、この圧油は、上記手動油圧切換弁３０と、前記高速クラッチ用切換弁２５又は低速クラッチ用切換弁２６とを介して、前記低速用クラッチ７又は高速用クラッチ８の油圧室内に送り込み自在としている。又、これら低速用、高速用各クラッチ７、８のうちの低速用クラッチ７は、減速比を大きくする｛変速比無限大（ギヤードニュートラル状態）を含む｝低速モードを実現する際に接続されると共に、減速比を小さくする高速モードを実現する際に接続を断たれる。これに対して、上記高速用クラッチ８は、上記低速モードを実現する際に接続を断たれると共に高速モードを実現する際に接続される。又、これら低速用、高速用各クラッチ７、８への圧油の給排状態は、前記シフト用電磁弁２０の切り換えに応じて切り換えられる。
【０００９】
上述の様な図１０〜１１に示した無段変速装置の運転時、前記制御器１６の制御信号に基づき上記シフト用電磁弁２０を切り換える事により、上記低速用、高速用各クラッチ７、８の断接状態を切り換えて、低速モードと高速モードとの切り換えを行なう。ところで、トロイダル型無段変速機と遊星歯車式変速機とをクラッチ装置を介して組み合わせて成り、低速モードと高速モードとを有する無段変速装置の場合、上述した様なギヤードニュートラル状態を実現できるものにしても、前記特許文献３〜４に記載されたパワースプリット状態を実現できるものにしても、低速モードと高速モードとのモード切換時に、このモード切換を滑らかに行なう事が、乗り心地性能（乗り心地の良さ）や耐久性等を確保する面で重要になる。この様なモード切換を滑らかに行なう技術として、例えば特許文献９には、このモード切換時に、それまで接続されていなかったクラッチと、それまで接続されていたクラッチとを、同時に接続させる技術が記載されている。
【００１０】
この様な技術を採用すれば、例えば加速中に低速モードから高速モードに切り換える際は、図１２（Ａ）に示す様に、それまで接続されていなかった高速用クラッチが接続されてから、それまで接続されていた低速用クラッチの接続が断たれる。この為、モード切換時にこれら低速用、高速用両クラッチの接続が同時に断たれる事による、エンジンの回転速度の急上昇（吹け上がり）や、この急上昇後の高速用クラッチの接続に伴う変速ショック（トルク抜け感、押し出し感）を防止して、運転者を初めとする乗員に違和感を与える事を防止できる。又、モード切換時に構成各部に加わる衝撃を緩和して、耐久性を確保できる。又、特許文献１０には、パワースプリット状態を実現できる無段変速装置で、高速モードから低速モードに切り換える際の高速用クラッチを断つタイミングに比べ、低速モードから高速モードに切り換える際の低速用クラッチを断つタイミングを長くする事により、このモード切換時に両クラッチが接続されている時間を確保する発明が記載されている。又、特願２００４−１８５２７７号には、低速用、高速用各クラッチの断接を切り換える為の低速クラッチ用、高速クラッチ用各切換弁の切り換えに遅延時間を設定する事により、モード切換時に両方のクラッチを同時に接続させる時間を造り出す発明が開示されている。
【００１１】
ところで、上述した各特許文献に記載された従来技術や特願２００４−１８５２７７号に開示された先発明の場合、モード切換時に、低速用、高速用各クラッチが同時に接続されたか否かの判定は行なってはいない。一方、モード切換時にこれら低速用、高速用各クラッチは、その切換時の状態、例えば油温やこれら低速用、高速用各クラッチを構成する摩擦材の温度特性等に応じて、接続が開始されてから接続し切る（動力の伝達をできる状態となる）までの時間が異なる。この為、上述の様にモード切換時に、それまで接続されていなかった高速用クラッチを接続してから、それまで接続されていた低速用クラッチの接続を断つ様に、これら各クラッチへの圧油の給排状態を切り換える為の低速クラッチ用、高速クラッチ用各切換弁の切り換え状態を切り換えても、上記油温等によっては、これら両クラッチが同時に接続されない可能性がある。
【００１２】
即ち、上記油温が低く、油の粘性が高い場合には、通油路中を圧油が流動する事に対する抵抗が高くなる為、上記モード切換時に上記低速用、高速用各クラッチの接続が開始されてから接続し切るまでの時間が長くなる。この様な場合、図１２（Ｂ）に示す様に、それまで接続されていなかったクラッチが接続し切る以前に、それまで接続されていたクラッチの接続が断たれる可能性がある。そして、この様な場合に、上記低速用、高速用両クラッチが同時に接続を断たれ、上述した様な、エンジンの回転速度の急上昇（吹け上がり）や、この急上昇後のクラッチの接続に伴う変速ショックを生じ、運転者を初めとする乗員に違和感を与える可能性がある。
【００１３】
この様な不都合を防止すべく、上記低速用、高速用各クラッチが同時に接続されているか否かを判定してから、接続を断つべきクラッチの接続を断つ事が考えられる。例えば、接続すべきクラッチが接続をされたか否かの判定を、これら各クラッチに導入される油圧を検出する事により、或いは、これら各クラッチを構成するピストン等の変位を検出する事により行なう事が考えられる。但し、この様な場合は、上記油圧を検出する為の油圧センサや油圧スイッチ、或いは、上記ピストン等の変位を検出する為の変位センサ（ストロークセンサ）を別に設ける必要があり、装置が複雑になると共に、コストが増大する可能性がある。
【００１４】
一方、上述の様な接続すべきクラッチが接続をされたか否かの判定を行なわずに、モード切換時に、上記油温等の車両の状態に応じて、上記各クラッチの断接のタイミングを調節する事も考えられる。例えば、上記油温を検出する油温センサを設け、この検出される油温に応じて、各クラッチの断接タイミングを変える事により、この油温に拘らず、上記低速用、高速用両クラッチが同時に接続する時間を造り出す事が考えられる。但し、この様な構造を採用した場合には、上記油温とこの油温に対応する最適な断接タイミングとの相関関係を予め求めると共に、この相関関係を、制御器のメモリにマップや式等として記憶させておく必要がある。そして、この様な相関関係に基づいて上記各クラッチの断接を行なう為、これら各クラッチの断接制御が複雑になる可能性がある。
【００１５】
又、特許文献１１、１２にも、モード切換を滑らかに行なう技術（モード切換時の変速ショックを低減する技術）が記載されている。このうちの特許文献１１には、モード切換を行なうべき変速比と実際の変速比とのずれに拘らず、変速ショックを防止する技術が記載されている。即ち、上記特許文献１１には、モード切換時に、無段変速装置全体の変速比と入力軸の回転速度とから上記変速比のずれを検出し、このずれに応じてエンジントルクを増減する（目標エンジントルクを制限する）技術が記載されている。但し、この様な特許文献１１に記載された技術の場合は、モード切換開始時の上記変速比のずれに応じて上記エンジントルクを制御するのみであり、モード切換時のクラッチの断接状態に応じて上記エンジントルクを制御する事はできない。この為、上述の様に低速用、高速用両クラッチが同時に接続を断たれた場合に、エンジンの回転速度の急上昇に伴う変速ショックを低減する事はできない。
【００１６】
又、上記特許文献１２には、エンジントルクを、トロイダル型無段変速機の変速比から算出される目標エンジントルクに制御する技術が記載されている。そして、この特許文献１２に記載された技術の場合は、モード切換時にエンジンの回転速度が急上昇した場合に、実際に検出されるトロイダル型無段変速機の変速比を補正し、この補正した変速比に対応する目標エンジントルクに制御する。この様な技術を採用すれば、上記エンジンの回転速度が急上昇しても、このエンジントルクが過度に減少する事を防止して、変速ショックを低減できると考えられる。但し、この様な従来技術の場合、モード切換時に、トロイダル型無段変速機の変速比を検出すると共に、この変速比を補正し、この補正された変速比に基づいて目標エンジントルクを算出し、更にこの目標エンジントルクにエンジントルクを制御する等の、多くの作業を必要とし、このエンジントルクの制御が複雑になる事が避けられない。
【００１７】
【特許文献１】特許第２７３４５８３号公報
【特許文献２】特開平５−３９８５０号公報
【特許文献３】特開平１０−１９６７５９号公報
【特許文献４】特開２００３−１９４２０７号公報
【特許文献５】特開２００３−３０７２６６号公報
【特許文献６】特開２０００−２２０７１９号公報
【特許文献７】特開２００４−２２５８８８号公報
【特許文献８】特開２００４−２１１８３６号公報
【特許文献９】特開平９−２１０１９１号公報
【特許文献１０】特開２００３−２０７０４２号公報
【特許文献１１】特開２００２−２６４６９８号公報
【特許文献１２】特開２００２−３６２１９３号公報
【非特許文献１】青山元男著、「別冊ベストカー  赤バッジシリーズ２４５／クルマの最新メカがわかる本」、株式会社三雄社／株式会社講談社、平成１３年１２月２０日、ｐ．９２−９３
【非特許文献２】田中裕久著、「トロイダルＣＶＴ」、株式会社コロナ社、２０００年７月１３日
【発明の開示】
【発明が解決しようとする課題】
【００１８】
本発明は、上述の様な事情に鑑みて、モード切換時に低速用、高速用両クラッチが同時に接続されない場合でも、エンジンの回転速度の急上昇に伴う変速ショックを防止できる構造を、複雑な構成、機構、装置等を必要とする事なく、低コストで実現すべく発明したものである。
【課題を解決するための手段】
【００１９】
本発明の無段変速装置は、従来から知られている無段変速装置と同様に、トロイダル型無段変速機と遊星歯車式変速機とをクラッチ装置を介して組み合わせて成る。
このうちのクラッチ装置は、減速比を大きくする低速モードを実現する際に接続されて同じく小さくする高速モードを実現する際に接続を断たれる低速用クラッチと、この高速モードを実現する際に接続されて上記低速モードを実現する際に接続を断たれる高速用クラッチと、これら各クラッチの断接状態を切り換える制御器とから成る。
又、この制御器は、上記各クラッチの断接を制御する事により、変速状態を上記低速モードと上記高速モードとのうちの何れかのモードにするものである。
そして、上記制御器に、上記低速モードと上記高速モードとのモード切換時に、上記低速用クラッチと上記高速用クラッチとのうちの一方のクラッチでそれまで接続されていなかったクラッチを接続してから、同じく他方のクラッチでそれまで接続されていたクラッチの接続を断つ機能を持たせる事により、これら両クラッチが同時に接続されている時間を設定している。
特に、本発明の無段変速装置に於いては、上記制御器に、上記モード切換が開始された事を条件に、エンジンの回転速度を、このエンジンの燃料噴射量を調節する事に基づいて、運転者のアクセル操作と独立して調節する機能を持たせる。又、これと共に、上記モード切換が終了した事を条件に、上記エンジンの回転速度を、このエンジンの燃料噴射量を調節する事に基づいて、運転者のアクセル操作に応じたものに（円滑に、徐々に）戻す機能を持たせる。
【００２０】
尚、上記モード切換の開始は、それまで接続していなかった一方のクラッチの接続を開始した時点とする事ができる。又、この一方のクラッチの接続を開始した後で、それまで接続していた他方のクラッチの接続を断ち始めた時点とする事もできる。この理由は、モード切換時に一方のクラッチの接続を開始してから他方のクラッチの接続を断つ場合、両クラッチが同時に接続を断たれる可能性があるのは、それまで接続していた上記他方のクラッチの接続を断ち始めた後になる為である。何れにしても、上記一方のクラッチの接続開始（或いは他方のクラッチの接続の断ち始め）は、例えば、この一方のクラッチ（或いは他方のクラッチ）の接続状態を切り換える為の電磁切換弁に、上記制御器から接続を開始する旨（或いは接続を断つ旨）の指令信号を出力した時点とする事ができる。
【００２１】
一方、上記モード切換の完了は、上記一方のクラッチの接続が完了した時点とする事ができる。この様な一方のクラッチの接続の完了は、トロイダル型無段変速機を通過するトルク（動力、伝達トルク、通過トルク）の変化から、より具体的には、このトロイダル型無段変速機を通過するトルクと相関関係を有する、アクチュエータを構成する１対の油圧室同士の圧力差に基づいて判定する事ができる。即ち、各パワーローラを回転自在に支持する各支持部材（トラニオン）をそれぞれの両端部に設けた枢軸の軸方向に変位させて、上記トロイダル型無段変速機の変速比を変える為の、上記アクチュエータに設けた１対の油圧室同士の圧力差（差圧）を、例えば油圧センサにより検出し、この圧力差の変化から判定できる。例えば、上記圧力差の正負が０を越えて反転し（更に予め設定した閾値を跨いで変化し）た事を検出する事により、上記一方のクラッチの接続が完了した事を判定できる。
【発明の効果】
【００２２】
上述の様に、本発明の無段変速装置の場合は、モード切換が開始されると、エンジンの回転速度を、このエンジンの燃料噴射量を調節する事に基づいて、運転者のアクセル操作と独立して調節する。この為、モード切換時に低速用、高速用両クラッチが同時に接続を断たれた場合でも、上記エンジンの回転速度が急上昇する事を防止できる。即ち、上記エンジンの回転速度を、運転者のアクセル操作に応じて調節している状態で、例えば油温が低い等に伴い上記低速用、高速用両クラッチの接続が同時に断たれると、上記エンジンに負荷されているトルクが解除され（トルクが抜け）、このエンジンに関して特別な制御を行なっていないと、このエンジンの回転速度が急上昇する。そして、この様にエンジンの回転速度が急上昇する分、一方のクラッチが接続された瞬間に変速ショックを生じる。
【００２３】
これに対し、本発明の場合は、上記エンジンの回転速度の調節を、このエンジンの燃料噴射量を調節する事に基づいて、上記運転者のアクセル操作と独立して、上記回転速度が急上昇しない様に行なう（例えば回転速度を一定のまま維持したり、所定速度で増減させる）。この為、モード切換時に上記低速用、高速用両クラッチが同時に接続を断たれた場合でも、上記エンジンの回転速度が急上昇する事がない。従って、このエンジンの回転速度の急上昇に伴う変速ショックの発生を防止できる。又、モード切換が終了した後は、上記エンジンの回転速度を、このエンジンの燃料噴射量を調節する事に基づいて、運転者のアクセル操作に応じたものに円滑に（例えば徐々に）戻す事で、運転者の意図する走行に違和感を与える事なく復帰できる。しかも、上述の様にエンジンの回転速度を運転者のアクセル操作と独立して調節したり、この回転速度を運転者のアクセル操作に応じたものに円滑に（徐々に）戻したりする為に、複雑な構成、機構、装置等を必要としない。この為、モード切換時にエンジンの回転速度の急上昇に伴う変速ショックを防止できる構造を、安価に構成できる。
【発明を実施するための最良の形態】
【００２４】
本発明を実施する場合に好ましくは、一方のクラッチの接続が開始された事を条件に、エンジンの回転速度を、この一方のクラッチの接続が開始された時点の値のまま維持する（請求項２）。或いは、エンジンの回転速度が変化する程度を、上記一方のクラッチの接続が開始される直前の変化速度のまま維持する（請求項３）。そして、この一方のクラッチの接続が完了した事を条件に、上記エンジンの回転速度を、運転者のアクセル操作に応じたものに戻す。この際、好ましくは、請求項４に記載した様に、上記一方のクラッチの接続が完了した事を条件に、その時点のアクセル開度と車速とに基づいてエンジンの目標回転速度を求め、この目標回転速度に（例えば徐々に）調節する事で、このエンジンの回転速度を運転者のアクセル操作に応じたものに（円滑に）戻す。
この様に構成すれば、モード切換時に低速用、高速用両クラッチが同時に接続を断たれた場合でも、エンジンの回転速度が急上昇する事はない。又、モード切換終了時に、運転者の意図する走行に、違和感を与える事なく、円滑に復帰できる。しかも、上述の様なエンジンの回転速度の調節に、複雑な構成、機構、装置等を必要としない為、安価に構成できる。
【００２５】
又、本発明を実施する場合に好ましくは、請求項５に記載した様に、低速モードから高速モードへ切り換える際に、高速用クラッチの接続が開始された事を条件に、アクセル開度を、この高速用クラッチの接続が開始された時点の値から所定の値低下させ、そのアクセル開度でエンジンの回転速度を維持する。又、これと共に、この高速用クラッチの接続が完了した事を条件に、上記アクセル開度を、その時点の運転者のアクセル操作に応じた実際のアクセル開度に（例えば徐々に）戻す。更には、請求項６に記載した様に、高速モードから低速モードへ切り換える際に、低速用クラッチの接続が開始された事を条件に、アクセル開度を、この低速用クラッチの接続が開始された時点の値から所定の値増大させ、そのアクセル開度でエンジンの回転速度を維持する。又、これと共に、この低速用クラッチの接続が完了した事を条件に、上記アクセル開度を、その時点の運転者のアクセル操作に応じた実際のアクセル開度に（例えば徐々に）戻す。
この様に構成した場合も、モード切換時のエンジンの回転速度の急上昇を防止できると共に、モード切換終了時に運転者の意図する走行に違和感を与える事なく円滑に復帰できる。しかも、上述の様なアクセル開度の調節に、複雑な構成、機構、装置等を必要としない為、安価に構成できる。
【００２６】
又、本発明を実施する場合に好ましくは、請求項７に記載した様に、入力軸を一方向に回転させたまま出力軸を停止させる、ギヤードニュートラル状態を実現できるモードを備えたものとする。
この様な、ギヤードニュートラル状態を実現できるモードを備えた無段変速装置の場合は、低速モードと高速モードとの間のモード切換が、低速で行なわれる。この為、このモード切換が、発進、停止の度に、頻繁に行なわれる事になり、モード切換を滑らかに行なう必要性が高く、本発明の効果を顕著に得られる。
【実施例１】
【００２７】
図１〜４は、請求項１、２、４、７に対応する、本発明の実施例１を示している。尚、本実施例の特徴は、モード切換時に、クラッチ装置６である低速用、高速用両クラッチ７、８が同時に接続が断たれた場合でも、エンジン１の回転速度が急上昇する事を防止して、運転者に違和感を与えたり、構成部品の耐久性を損なう様な、変速ショックが生じる事を防止する点にある。その他の部分の構造及び作用は、前述の図１０〜１１に示した従来構造と同様であるから、重複する説明を省略若しくは簡略にし、以下、本実施例の特徴部分を中心に説明する。
【００２８】
本実施例の場合も、制御器１６の制御信号に基づいて上記低速用、高速用各クラッチ７、８の断接状態を切り換える事により、減速比を大きくする（ギヤードニュートラル状態を含む）低速モードと、減速比を小さくする高速モードとを実現する。この為に、上記低速用、高速用各クラッチ７、８の断接状態を、上記制御器１６の制御信号に基づいて通電状態を制御される、低速クラッチ用、高速クラッチ用各電磁切換弁３１、３２により、切り換え自在としている。即ち、これら低速クラッチ用、高速クラッチ用各電磁切換弁３１、３２は、ソレノイドへの通電に基づいてスプールをそれぞれ変位させるもので、このスプールの変位に基づき、上記低速用、高速用各クラッチ７、８の油圧室内への圧油の導入状態を切り換える事により、これら低速用、高速用各クラッチ７、８の断接状態を切り換える。
【００２９】
例えば、上記低速用クラッチ７を接続すると共に上記高速用クラッチ８の接続を断つ場合（低速モードを実現する場合）には、上記低速クラッチ用、高速クラッチ用各電磁切換弁３１、３２を非通電状態（ＯＦＦ）にし、これら各電磁切換弁３１、３２のスプールを、ばねの弾力に基づいて図２の右方（各スプールを表す回路のうちの左半部の状態）に変位させる。この結果、上記低速用クラッチ７の油圧室に圧油が導入され、この低速用クラッチ７が接続されると共に、上記高速用クラッチ８の油圧室が油溜２８に通じ、この高速用クラッチ８の接続が断たれる。
【００３０】
一方、上記低速用クラッチ７の接続を断つと共に上記高速クラッチ８を接続する場合（高速モードを実現する場合）には、上記低速クラッチ用、高速クラッチ用各電磁切換弁３１、３２を通電状態（ＯＮ）にし、これら各電磁切換弁３１、３２のスプールを、ばねの弾力に抗して、図２の左方（各スプールを表す回路のうちの右半部の状態）に変位させる。この結果、上記低速用クラッチ７の油圧室が油溜２８に通じ、この低速用クラッチ７の接続が断たれると共に、上記高速用クラッチ８の油圧室に圧油が導入され、この高速用クラッチ８が接続される。
【００３１】
又、本実施例の場合、前記制御器１６に、低速モードと高速モードとのモード切換時に、上記低速用クラッチ７と上記高速用クラッチ８とのうちの一方のクラッチでそれまで接続されていなかったクラッチ７（８）を接続してから、同じく他方のクラッチでそれまで接続されていたクラッチ８（７）の接続を断つ機能を持たせている。即ち、低速モードから高速モードにモード切換する場合には、上記高速用クラッチ８を接続（高速クラッチ用電磁切換弁３２をＯＮ）してから、上記低速用クラッチ７の接続を断つ（低速クラッチ用電磁切換弁３１をＯＮする）様にすると共に、高速モードから低速モードにモード切換する場合には、上記低速用クラッチ７を接続（低速クラッチ用電磁切換弁３１をＯＦＦ）してから、上記高速用クラッチ８の接続を断つ（高速クラッチ用電磁切換弁３２をＯＦＦする）様にしている。
【００３２】
更に、本実施例の場合は、上記制御器１６に、モード切換開始を条件に、エンジン１の回転速度を、運転者のアクセル操作と独立して調節する機能を持たせている。より具体的には、上記低速用クラッチ７と高速用クラッチ８とのうちでそれまで接続されていなかった一方のクラッチ７（８）の接続が開始された事を条件に、上記エンジン１の回転速度を、この一方のクラッチ７（８）の接続が開始された時点の値のまま維持する様にしている。又、これと共に、モード切換終了を条件に、上記エンジン１の回転速度を、運転者のアクセル操作に応じたものに戻す機能を持たせている。より具体的には、上記一方のクラッチ７（８）の接続が完了した事を条件に、その時点のアクセル開度と車速とに基づいて上記エンジン１の目標回転速度を求め、この目標回転速度に円滑に（徐々に）調節する様にしている。
【００３３】
この様な制御器１６が備える機能に就いて、図３のフローチャートを参照しつつ説明する。尚、このフローチャートに示した作業は、イグニッションスイッチがＯＮされてからＯＦＦされるまでの間で、手動油圧切換弁３０により前進走行状態（Ｄ、Ｌレンジ）を選択している間、より好ましくは、トロイダル型無段変速機４の変速比がモード切換を行なう値｛例えば最大減速比（変速比が最小の値）｝近傍で運転されている間、繰り返し（自動的に）行なわれる。
先ず、上記制御器１６は、ステップ１で、モード切換を行なう条件が成立しているか否かを判定する。この判定は、例えばトロイダル型無段変速機４の変速比が所定の値（例えば最大減速比＝０．４６）であるか否かを、入力側、出力側両回転センサ３５、３６により検出される入力側、出力側各ディスク１０、１１の回転速度の比に基づいて、或いは、予め求めたステッピングモータ１７のステップ位置と変速比との相関関係に基づいて、判定する。この様なステップ１で、上記トロイダル型無段変速機４の変速比が所定の値ではないと判定された場合は、モード切換は行なわずに終了する（開始に戻る）。
【００３４】
一方、上記ステップ１で、上記トロイダル型無段変速機４の変速比が所定の値であり、モード切換を行なう条件が成立していると判定された場合には、続くステップ２に示す様に、現在の走行モードが低速モードか否かを判定する。この判定は、この判定の直前に、上記制御器１６が前記低速クラッチ用、高速クラッチ用両電磁切換弁３１、３２に出力した制御信号に基づいて行なう。この様なステップ２で、上記制御器１６が直前に出力した制御信号が、低速モードを実現するもの（低速用クラッチ７を接続すると共に高速用クラッチ８の接続を断つもの）であれば、現在の走行モードが低速モードであると判定する。そして、この様に現在の走行モードが低速モードであると判定された場合は、ステップ３で、高速用クラッチ８を接続させるべく、上記高速クラッチ用電磁切換弁３２を切り換える（通電状態をＯＮにする）。この様にステップ３で高速クラッチ用電磁切換弁３２を切り換えたならば、続くステップ４に示す様に、前記エンジン１の回転速度を、この高速クラッチ用電磁切換弁３２の切り換えを開始した時点（通電状態をＯＮした時点）の値のまま維持する。
【００３５】
そして、この様にエンジン１の回転速度を一定の値のまま維持した状態で、続くステップ５に進み、上記高速クラッチ用電磁切換弁３２の切り換えを開始した時点から所定時間経過したか否かを判定する。この所定時間は、上記高速用クラッチ８の接続を開始してから上記低速用クラッチ７の接続を断ち始めるまでの時間である。この様な所定時間は、モード切換時に低速用、高速用両クラッチ７、８が同時に接続される時間を確保できる様に、予め実験等により求め、設定しておく。尚、この所定時間を、上記低速用、高速用両クラッチ７、８に導入する油（潤滑油、トラクションオイル）の温度等に応じて調節する事により、この油温等に拘らず、モード切換時に上記低速用、高速用両クラッチ７、８を同時に接続する時間を確実に造り出す事も可能である。具体的には、上記油温が低いほど、上記所定時間を長くする事が考えられる。但し、後述する様に本実施例の構造は、変速動作を素早く行なうべく、上記所定時間を短くして、その結果、上記低速用、高速用両クラッチ７、８が同時に接続を断たれる瞬間が出現した場合でも、上記エンジン１の回転速度が急上昇する事を防止できる。この為、本実施例の場合は、上記所定時間を上記油の油温に応じて調節する事は行なわない（必要に応じて所定時間を油温に応じて調節しても良い）。
【００３６】
この様なステップ５で、上記所定時間経過していないと判定した場合には、前記ステップ４に戻り、上記エンジン１の回転速度を一定のまま維持すると共に、この作業を上記所定時間経過するまで繰り返す。そして、上記ステップ５で、上記所定時間経過したと判定した場合に、ステップ６に進み、前記低速用クラッチ７の接続を断つべく、前記低速クラッチ用電磁切換弁３１を切り換える（通電状態をＯＮにする）。次いで、続くステップ７に進み、前記高速用クラッチ８の接続が完了したか否かを判定する。この判定は、トロイダル型無段変速機４を通過するトルクの変化を表す、アクチュエータ１３の油圧室３３ａ、３３ｂ同士の間の差圧に基づいて判定する。
【００３７】
即ち、上記高速用クラッチ８が接続されると、それまでの低速用クラッチ７が接続されていた状態から、上記トロイダル型無段変速機４を通過するトルク（動力、伝達トルク、通過トルク）が反転する。そして、このトルクと相関関係を有する上記差圧も、それまでの値から０を越えて正負が反転する。この為、この様な差圧の変化を、上記各油圧室３３ａ、３３ｂに設けた１対の油圧センサ３４ａ、３４ｂ（図１の３４）により検出すれば、この差圧の変化に基づき、上記高速用クラッチ８が接続された事を判定できる。この様なステップ７で、上記高速用クラッチ８の接続が完了したと判定された場合に、後述するステップ１３に進む。この様にステップ１３に進むまでは、上記エンジン１の回転速度は一定のまま維持しておく。
【００３８】
一方、上記ステップ２で、上記制御器１６が直前に出力した制御信号が高速モードを実現するもの（低速用クラッチ７の接続を断つと共に高速用クラッチ８を接続させるもの）であれば、現在の走行モードが高速モードであると判定する。そして、この様に現在の走行モードが高速モードであると判定された場合は、ステップ８で、低速用クラッチ７を接続させるべく、低速クラッチ用電磁切換弁３１を切り換える（通電状態をＯＦＦにする）。この様にステップ８で低速クラッチ用電磁切換弁３２を切り換えたならば、続くステップ９に示す様に、エンジン１の回転速度を、この低速クラッチ用電磁切換弁３１の切り換えを開始した時点（通電状態をＯＦＦした時点）の値のまま維持する。
【００３９】
そして、この様にエンジン１の回転速度を一定の値のまま維持した状態で、続くステップ１０に進み、上記高速クラッチ用電磁切換弁３２の切り換えを開始した時点から所定時間経過したか否かを判定する。この所定時間は、上記低速用クラッチ７の接続を開始してから上記高速用クラッチ８の接続を断ち始めるまでの時間である。この様な所定時間は、モード切換時に低速用、高速用両クラッチ７、８が同時に接続される時間を確保できる様に、予め実験等により求め、設定しておく。この様なステップ１０は、接続するクラッチが低速用クラッチ７で接続を断つクラッチが高速用クラッチ８である点以外は、前述したステップ５と同様である。この様なステップ１０で、上記所定時間経過したと判定したならば、続くステップ１１に進み、高速用クラッチ８の接続を断つべく、高速クラッチ用電磁切換弁３２を切り換える（通電状態をＯＦＦにする）。次いで、続くステップ１２に進み、上記低速用クラッチ７の接続が完了したか否かを判定する。この様なステップ１２に就いても、接続するクラッチが低速用クラッチ７で接続を断つクラッチが高速用クラッチ８である点以外は、前述したステップ７と同様である。
【００４０】
この様なステップ１２で、低速用クラッチ７の接続が完了したと判定されたならば、或いは、前述のステップ７で、高速用クラッチ８の接続が完了したと判定されたならば、続くステップ１３で、その時点のアクセル開度と車速（車両の速度）とに基づき、適切なエンジンの目標回転速度を求め、この目標回転速度に円滑に（例えば徐々に）調節する。尚、上記アクセル開度は、例えばアクセルペダルの操作量（踏み込み量、開放量）を検出する為のアクセルセンサ３７により検出する。又、上記車速は、出力軸９の回転速度を検出する為の出力軸回転センサ３８、或は、別途設けた車速センサにより検出する。この様なセンサ３７、３８により検出される車速並びにアクセル開度に基づいて、上記目標回転速度を求め、この目標回転速度にすべくアクセル開度を調節する。
【００４１】
そして、この様にアクセル開度を調節したならば、続くステップ１４で、実際の回転速度が目標回転速度に達した（目標回転速度と一致した）か否かを判定する。この様なステップ１４で、実際の回転速度が目標回転速度と一致していないと判定された場合は、上記ステップ１３に戻り、この目標回転速度に達するまで（一致するまで）繰り返す。そして、上記ステップ１４で、上記実際の回転速度が上記目標回転速度に達したと判定された場合は、本制御を終了し、通常のエンジン制御、即ち、運転者のアクセル操作に応じたエンジン制御に復帰する。
【００４２】
上述の様に本実施例によれば、モード切換が開始されると、エンジン１の回転速度を、運転者のアクセル操作と独立して調節する。具体的には、低速用クラッチ７と高速用クラッチ８とのうちで、それまで接続されていなかった一方のクラッチ７（８）の接続が開始された事を条件に、上記エンジン１の回転速度を、この一方のクラッチ７（８）の接続が開始された時点の値のまま維持する。この為、モード切換時に低速用、高速用両クラッチ７、８が同時に接続を断たれた場合でも、上記エンジン１の回転速度が急上昇する事を防止できる。即ち、図４の（Ｂ）に示す様に、モード切換時に上記エンジン１の回転速度を、運転者のアクセル操作に応じて調節している状態で、例えば油温が低い等に伴い上記低速用、高速用両クラッチ７、８の接続が同時に断たれると、上記エンジン１に負荷されているトルクが解除され（トルクが抜け）、このエンジン１の回転速度が急上昇する。そして、この様にエンジンの回転速度が急上昇する分、一方のクラッチ（高速用クラッチ８）が接続された瞬間に変速ショックを生じる。
【００４３】
これに対し、本実施例の場合は、同図（Ａ）に示す様に、モード切換時に上記低速用、高速用両クラッチ７、８が同時に接続を断たれた場合でも、上記エンジン１の回転速度は急上昇しない。又、モード切換が終了した後（図４で高速用クラッチの接続が完了した後）は、上記エンジン１の回転速度を運転者のアクセル操作に応じたものに徐々に戻す（目標エンジン回転速度に徐々に調節する）為、運転者の意図する走行に違和感を与える事なく円滑に復帰できる。しかも、上記エンジン１の回転速度を一定のまま維持したり、この回転速度を運転者のアクセル操作に応じたものに徐々に戻したりする為に、複雑な構成、機構、装置等を必要としない。この為、モード切換時にエンジンの回転速度の急上昇に伴う変速ショックを防止できる構造を、安価に構成できる。
【００４４】
尚、本実施例の場合は、制御器１６により制御される低速クラッチ用、高速クラッチ用各電磁切換弁３１、３２の切換に基づき、低速用クラッチ７及び高速用クラッチ８の断接状態を、それぞれ独立して切換自在としている。この様に低速用、高速用各クラッチ７、８の断接状態を独立して切り換える構造としては、上記低速クラッチ用、高速クラッチ用各電磁切換弁３１、３２により上記低速用、高速用各クラッチ７、８の各油圧室に送り込む油圧を制御する他、電磁比例弁や、モータ等のアクチュエータにより制御する事もできる。又、上記低速用、高速用各クラッチの断接を直接、モータ等のアクチュエータや切換弁により制御する事もできる。要は、上記低速用、高速用各クラッチ７、８の断接状態をそれぞれ独立して切り換える事ができれば、何れの構造も採用可能である。又、前述の様に本実施例の場合は、低速モードを実現する際に、低速クラッチ用、高速クラッチ用両電磁切換弁３１、３２を非通電状態にすると共に、高速モードを実現する際にこれら両電磁切換弁３１、３２を通電状態にする。この為、何らかの故障でこれら各電磁切換弁３１、３２に通電を行なえなくなった場合でも、低速モードでの走行を確保でき、フェールセーフ化（故障時の安全性能の向上）を図れる。
【実施例２】
【００４５】
図５、６は、請求項１、３、４に対応する、本発明の実施例２を示している。上述した実施例１の場合は、低速用クラッチ７と高速用クラッチ８（図２参照）とのうちでそれまで接続されていなかった一方のクラッチ７（８）の接続が開始された事を条件に、エンジン１（図１参照）の回転速度を、この一方のクラッチ７（８）の接続が開始された時点の値のまま維持する。これに対して、本実施例の場合は、一方のクラッチ７（８）の接続が開始された事を条件に、上記エンジン１の回転速度が変化する速度を、この一方のクラッチ７（８）の接続が開始される直前の変化速度のまま維持する。この為に、本実施例の場合は、フローチャートのステップ４並びにステップ９で、上記エンジン１の回転速度が変化する速度を、高速クラッチ用電磁切換弁３２の切り換えを開始した時点（通電状態をＯＮした時点）、或いは、低速クラッチ用電磁切換弁３１（図１、２参照）の切り換えを開始した時点（通電状態をＯＦＦした時点）の直前の変化速度のまま維持する。
【００４６】
この様な本実施例の場合も、図６に示す様に、モード切換時に上記低速用、高速用両クラッチ７、８が同時に接続を断たれた場合でも、上記エンジン１の回転速度は急上昇しない。又、モード切換が終了した後、即ち、図６で高速用クラッチの接続が完了した後は、上記エンジン１の回転速度を運転者のアクセル操作に応じたものに円滑に戻す（目標エンジン回転速度制御を行なう）為、運転者の意図する走行に違和感を与える事なく復帰できる。
その他の構成及び作用は、前述した実施例１と同様であるから、重複する説明は省略する。
【実施例３】
【００４７】
図７、８は、請求項１、４、５、６に対応する、本発明の実施例３を示している。上述した実施例２の場合は、低速用クラッチ７と高速用クラッチ８（図２参照）とのうちでそれまで接続されていなかった一方のクラッチ７（８）の接続が開始された事を条件に、エンジン１（図１参照）の回転速度が変化する速度を、この一方のクラッチ７（８）の接続が開始される直前の変化速度のまま維持する。これに対して、本実施例の場合は、低速モードから高速モードへ切り換える際に、上記一方のクラッチである高速用クラッチ８の接続が開始された事を条件に、アクセル開度を、この高速用クラッチ８の接続が開始された時点の値から所定の値低下させ、そのアクセル開度で上記エンジン１の回転速度を維持する。即ち、フローチャートのステップ４で、アクセル開度を、その時点の値から所定値α（図８の実アクセル開度の線図参照）分低下させる。
【００４８】
この様な所定値αは、モード切換時にアクセル開度を低下させても運転者に違和感を与えない範囲で設定（チューニング）するもので、予め実験等により求めておく。一方、高速モードから低速モードに切り換える際には、上記一方のクラッチである低速用クラッチ７の接続が開始された事を条件に、アクセル開度を、この低速用クラッチ７の接続が開始された時点の値から所定の値増大させ、そのアクセル開度で上記エンジン１の回転速度を維持する。即ち、フローチャートのステップ９で、アクセル開度を、その時点の値から所定値α分増大させる。この様な所定値αも、モード切換時にアクセル開度を増大さても運転者に違和感を与えない範囲で設定（チューニング）するもので、予め実験等により求めておく。
【００４９】
又、本実施例の場合は、ステップ７で、高速用クラッチ８の接続が完了したと判定された場合、又は、ステップ１２で、低速用クラッチ７の接続が完了したと判定された場合に、続くステップ１３で、上記アクセル開度を、その時点の運転者のアクセル操作に応じた実際のアクセル開度に徐々に戻す（図８の実アクセル開度の線図参照）。そして、この様に実際のアクセル開度に徐々に戻す事により、運転者の意図する走行に違和感を与える事なく円滑に復帰させる。
その他の構成及び作用は、前述した実施例１、２と同様であるから、重複する説明は省略する。
【００５０】
尚、前述並びに上述した各実施例は何れも、モード切換開始を条件に、運転者のアクセル操作（実アクセル開度）とは独立して、エンジン１（図１参照）の燃料噴射量が調節（制御）される。前述した実施例１、２の場合は、図９（Ａ）に示す様に、モード切換開始を条件に、無段変速装置を制御する為の変速装置用制御器３９（＝制御器１６）から上記エンジン１を制御する為のエンジン用制御器（エンジンコントローラ）４０に、このエンジン１の回転速度を一定に維持する旨の信号（実施例１）、或いは、このエンジン１の回転速度の変化速度を一定に維持する旨の信号（実施例２）が出力される。そして、上記エンジン用制御器４０は、この様な信号に基づき上記エンジン１の燃料噴射量を調節（制御）し、このエンジン１の回転速度を一定に維持、或いは、回転速度の変化速度を一定に維持する。この状態では、運転者のアクセル操作に基づきアクセルセンサ３７から出力される、実アクセル開度の信号は無視される。そして、モード切換終了を条件に、上記エンジン１の回転速度を運転者のアクセル操作に応じたものに戻す。この為、上記実施例１の図４（Ａ）に示した実アクセル開度の線図と、上記実施例２の図６に示した実アクセル開度の線図とが同じに表されているが（運転者のアクセル操作に基づくアクセル開度を表す線図が実施例１と実施例２とで同じではあるが）、上述の様にエンジン用制御器４０が上記エンジン１の燃料噴射量を、上記変速装置用制御器３９から出力される信号に応じて調節（制御）する為、上記エンジン１の回転速度の変化はそれぞれ異なる。                
【００５１】
又、前述した実施例３の場合は、図９（Ｂ）に示す様に、アクセルセンサ３７から出力される実アクセル開度の信号が、変速装置用制御器３９を介してエンジン用制御器４０に送られる。通常の運転時には、運転者のアクセル操作に応じた実アクセル開度の信号が、そのまま上記エンジン用制御器４０に送られる。一方、モード切換時には、このモード切換開始を条件に、上記変速装置用制御器３９から出力される実アクセル開度の信号が、上記運転者のアクセル操作に応じた信号とは異なるものとなる。即ち、上記実施例３の図８の実アクセル開度の線図に示す様に、モード切換開始を条件に、運転者のアクセル操作に応じた信号が破線に相当するものになるのに対して、上記変速装置用制御器３９から出力される実アクセル開度の信号は実線に相当するものになる。そして、この様に変速装置用制御器３９から出力される信号（実線に相当する信号）に応じて、上記エンジン１の燃料噴射量が調節され、このエンジン１の回転速度が同図に表されるものになる。この様な図８の実エンジン回転速度の線図と、上記図４（Ａ）の実エンジン回転速度の線図とが同じに表されているのに対して、それぞれの実アクセル開度の線図が異なるのは、上述の様に実施例３の場合が、上記変速装置用制御器３９から出力される実アクセル開度の信号に応じてエンジン１の燃料噴射量を調節している為である。
【産業上の利用可能性】
【００５２】
以上の説明は、本発明を、トロイダル型無段変速機と遊星歯車式変速機とを組み合わせると共に、入力軸を一方向に回転させたまま、出力軸の回転状態を、停止状態を挟んで正転、逆転に切り換えられる、所謂ギヤードニュートラル状態を実現できるモード（低速モード）を備えた無段変速装置に適用した場合に就いて説明した。但し、本発明は、トロイダル型無段変速機と遊星歯車式変速機とを組み合わせると共に、トロイダル型無段変速機のみで動力を伝達するモード（低速モード）と、差動ユニットである遊星歯車式変速機により主動力を伝達し、上記トロイダル型無段変速機により変速比の調節を行なう、所謂パワースプリット状態を実現するモード（高速モード）とを備えた無段変速装置に適用する事もできる。又、自動車用の自動変速機としてだけでなく、各種産業用機械装置の変速機としても利用できる。又、トロイダル型無段変速機の構造に関しては、ハーフトロイダル型、フルトロイダル型の何れでも良い。
【図面の簡単な説明】
【００５３】
【図１】本発明の実施例１を示す、無段変速装置のブロック図。
【図２】この無段変速装置に組み込む油圧回路図。
【図３】実施例１の特徴となる動作を示すフローチャート。
【図４】（アクセルペダルを踏み込んだ状態で）加速中に低速モードから高速モードに切り換える際の、低速用、高速用各クラッチの油圧と、実アクセル開度並びに実エンジン回転速度との関係を示す線図で、（Ａ）は本実施例の制御を行なった場合を、（Ｂ）は従来の制御の場合を、それぞれ示している。
【図５】本発明の実施例２を示す、図３と同様の図。
【図６】加速中に低速モードから高速モードに切り換える際の、低速用、高速用各クラッチの油圧と、実アクセル開度並びに実エンジン回転速度との関係を示す、図４の（Ａ）と同様の線図。
【図７】本発明の実施例３を示す、図３と同様の図。
【図８】加速中に低速モードから高速モードに切り換える際の、低速用、高速用各クラッチの油圧と、実アクセル開度並びに実エンジン回転速度との関係を示す、図４の（Ａ）と同様の線図。
【図９】運転者のアクセル操作と独立してエンジンの制御が行なわれる状態を説明する為の図で、（Ａ）は実施例１、２に対応する図を、（Ｂ）は実施例３に対応する図を、それぞれ示している。
【図１０】従来の無段変速装置のブロック図。
【図１１】この無段変速装置に組み込む油圧回路図。
【図１２】低速用、高速用各クラッチの接続状態と、低速用、高速用各切換弁の切り換え状態との関係の２例を示す線図。
【符号の説明】
【００５４】
１    エンジン
２    ダンパ
３    入力軸
４    トロイダル型無段変速機
５    遊星歯車式変速機
６    クラッチ装置
７    低速用クラッチ
８    高速用クラッチ
９    出力軸
１０    入力側ディスク
１１    出力側ディスク
１２    パワーローラ
１３    アクチュエータ
１４    押圧装置
１５    変速比制御ユニット
１６    制御器
１７    ステッピングモータ
１８    ライン圧制御用電磁開閉弁
１９    電磁弁
２０    シフト用電磁弁
２１    制御弁装置
２２    変速比制御弁
２３    差圧シリンダ
２４ａ、２４ｂ  補正用制御弁
２５    高速クラッチ用切換弁
２６    低速クラッチ用切換弁
２７、２７ａ、２７ｂ  オイルポンプ
２８    油溜
２９ａ、２９ｂ  調圧弁
３０    手動油圧切換弁
３１    低速クラッチ用電磁切換弁
３２    高速クラッチ用電磁切換弁
３３ａ、３３ｂ  油圧室
３４、３４ａ、３４ｂ  油圧センサ
３５    入力側回転センサ
３６    出力側回転センサ
３７    アクセルセンサ
３８    出力軸回転センサ
３９    変速装置用制御器
４０    エンジン用制御器
【図１】
0004670569.tif 000002
【図２】
0004670569.tif 000003
【図３】
0004670569.tif 000004
【図４】
0004670569.tif 000005
【図５】
0004670569.tif 000006
【図６】
0004670569.tif 000007
【図７】
0004670569.tif 000008
【図８】
0004670569.tif 000009
【図９】
0004670569.tif 000010
【図１０】
0004670569.tif 000011
【図１１】
0004670569.tif 000012
【図１２】
0004670569.tif 000013